(57)【特許請求の範囲】
【請求項１】
ユーザ機器（ＵＥ）と通信するためのワイヤレストランシーバと、
サービングマスタｅＮＢ（ＭｅＮＢ）として、前記サービングＭｅＮＢ及び２次ｅＮＢ（ＳｅＮＢ）とデュアルコネクティビティしている前記ＵＥとの接続を前記ワイヤレストランシーバを介して確立し、
前記ＵＥを前記サービングＭｅＮＢからターゲットＭｅＮＢにハンドオーバすることを決定し、
前記決定に応答して、前記ＵＥ及び前記ＳｅＮＢの両方を前記ターゲットＭｅＮＢにハンドオーバする
ように構成されたプロセッサとを含む、
進化型ユニバーサル地上無線アクセスネットワーク（Ｅ−ＵＴＲＡＮ）ノードＢ（ｅＮＢ）であって、
前記ＵＥ及び前記ＳｅＮＢの両方を前記ターゲットＭｅＮＢにハンドオーバするために、前記プロセッサが、
前記ターゲットＭｅＮＢに前記ＳｅＮＢに対応する２次セルグループ（ＳＣＧ）を維持するように命令するハンドオーバ要求を、前記ターゲットＭｅＮＢに送信し、
前記ＳＣＧ内で維持すべきセルのリストを示すフィールドを含む無線リソース制御（ＲＲＣ）接続再構成メッセージを、前記ワイヤレストランシーバを介して前記ＵＥに送信する
ようにさらに構成される、ｅＮＢ。
【請求項２】
前記ワイヤレストランシーバが、少なくとも前記ＵＥによって前記ｅＮＢから受信される信号の強度を示す前記ＵＥからの測定報告を受信するように構成され、
前記プロセッサが、
前記測定報告を処理して、前記ＵＥが前記サービングＭｅＮＢに対応する第１のセルカバレッジエリアから前記ターゲットＭｅＮＢに対応する第２のセルカバレッジエリアに移動していると判定し、
これに応答して、前記ＵＥを前記サービングＭｅＮＢから前記ターゲットＭｅＮＢにハンドオーバする決定を行う
ようにさらに構成される、請求項１に記載のｅＮＢ。
【請求項３】
前記測定報告が、参照信号受信出力（ＲＳＲＰ）又は参照信号受信品質（ＲＳＲＱ）を含む、請求項２に記載のｅＮＢ。
【請求項４】
前記サービングＭｅＮＢが、非理想的バックホールインタフェース（Ｘ２）を介して前記ＳｅＮＢ及び前記ＭｅＮＢと通信するように構成される、請求項１から３のいずれか一項に記載のｅＮＢ。
【請求項５】
ユーザ機器（ＵＥ）であって、
第１の進化型ユニバーサル地上無線アクセスネットワーク（Ｅ−ＵＴＲＡＮ）ノードＢ（ｅＮＢ）及び第２のｅＮＢからスプリットベアラを介してユーザデータを受信する、複数のワイヤレストランシーバと、
前記第１のｅＮＢとのリンクの参照信号受信出力（ＲＳＲＰ）又は参照信号受信品質（ＲＳＲＱ）を定期的に測定し、
前記複数のワイヤレストランシーバのうちの第１のワイヤレストランシーバを介して、ＲＳＲＰ又はＲＳＲＱ測定報告を前記第１のｅＮＢに送信し、
前記第１のｅＮＢから、前記ＵＥの前記第１のｅＮＢから第３のｅＮＢへのスプリットベアラハンドオーバの開始を示すメッセージを受信し、
前記メッセージに応答して、前記ＵＥの前記第１のｅＮＢから前記第３のｅＮＢへの前記スプリットベアラハンドオーバ中に前記第２のｅＮＢに接続されたまま留まる
回路とを含み、
前記スプリットベアラハンドオーバの開始を示す前記メッセージが、前記第２のｅＮＢに対応する２次セルグループ（ＳＣＧ）内で維持すべきセルのリストを示すフィールドを含む無線リソース制御（ＲＲＣ）接続再構成メッセージを含む、
ＵＥ。
【請求項６】
前記回路が、
前記第１のｅＮＢとの前記リンクの前記測定したＲＳＲＰ又はＲＳＲＱに基づいて測定事象トリガを決定し、
所定のトリガまでの時間（ＴＴＴ）タイマが満了するのを待機した後で、前記ＲＳＲＰ又はＲＳＲＱ測定報告を前記第１のｅＮＢに送信する
ようにさらに構成される、請求項５に記載のＵＥ。
【請求項７】
前記ＲＲＣ接続再構成メッセージを受信したのに応答して、前記回路が、前記複数のワイヤレストランシーバのうちの第２のワイヤレストランシーバを介して前記第３のｅＮＢと通信して、ランダムアクセス手続きを実行して、前記ＵＥと前記第３のｅＮＢとの間の接続を確立するように構成される、請求項５に記載のＵＥ。
【請求項８】
前記ＵＥが、アンテナ、タッチセンシティブディスプレイスクリーン、スピーカ、マイクロフォン、グラフィックプロセッサ、アプリケーションプロセッサ、内部メモリ、不揮発性メモリポート、又はそれらの組合せのうちの少なくとも１つを含む、請求項５から６のいずれか一項に記載のＵＥ。
【請求項９】
ワイヤレス通信システムと通信するノードであって、
１つ以上のプロセッサと、
前記１つ以上のプロセッサに、
前記ノードを前記ワイヤレス通信システムの２次セルグループ（ＳＣＧ）と関連付けることと、
ユーザ機器（ＵＥ）との接続を確立することと、
第１のマスタセルグループ（ＭＣＧ）内の第１のノードと協働して、前記ＵＥとのデュアルコネクティビティを提供することと、
前記第１のノードから、前記ＵＥの前記デュアルコネクティビティを前記第１のＭＣＧ内の前記第１のノードから第２のＭＣＧ内の第２のノードに変更するコマンドを受信することと、
前記コマンドに応答して、前記ＵＥとの前記接続を維持し、前記第１のノードとの協働から前記第２のノードとの協働に変更して、前記ＵＥとの前記デュアルコネクティビティを提供することと
を行わせるプログラムコードを記憶したコンピュータ可読記憶媒体を含むコンピュータプログラム製品とを含み、
前記第１のＭＣＧ内の前記第１のノードから受信される前記コマンドが、前記ＳＣＧ内で維持すべきセルのリストを含む、ノード。
【請求項１０】
前記第１のＭＣＧ内の前記第１のノードから受信される前記コマンドに応答して、前記ノードが、前記ＳＣＧ内で維持すべきセルのリストを含むメッセージを、前記第１のＭＣＧ内の前記第１のノード及び前記第２のＭＣＧ内の前記第２のノードに送信するようにさらに構成される、請求項９に記載のノード。
【請求項１１】
前記ノードが、非理想的バックホールインタフェース（Ｘ２）を介して、前記第１のＭＣＧ内の前記第１のノード及び前記第２のＭＣＧ内の前記第２のノードのうちの少なくとも１つと通信するように構成される、請求項９に記載のノード。
【発明の詳細な説明】
【技術分野】
【０００１】
関連出願
本願は、米国特許法第１１９条（ｅ）に基づき、本明細書における参照によりその全体を本明細書に組み込まれる、２０１４年３月１４日に出願された米国仮出願第６１／９５３６１４号（代理人整理番号Ｐ６４４３８Ｚ）の利益を主張するものである。
【０００２】
本開示は、ワイヤレス通信ネットワークに関する。詳細には、本開示は、ワイヤレス通信システム内でデュアルコネクティビティ（二重接続：dual  connectivity）で動作しているユーザ機器（ＵＥ）のハンドオーバを実現するシステム及び方法に関する。
【図面の簡単な説明】
【０００３】
【図１】１実施形態によるデュアルコネクティビティで動作している通信ネットワークを示すブロック図である。
【図２】１実施形態によるデュアルコネクティビティにおける例示的なハンドオーバのシナリオを例示する通信ネットワークを示すブロック図である。
【図３】１実施形態によるジョイントハンドオーバのプロセスを例示するシーケンス図である。
【図４】特定の実施形態によるモバイルデバイスを示す例示的な図である。
【発明を実施するための形態】
【０００４】
以下、本開示の実施形態によるシステム及び方法の詳細な説明が提供される。いくつかの実施形態が説明されているが、本開示は、いずれの実施形態にも限定されず、多数の代替物、修正物、及び均等物を包含することを理解されたい。さらに、以下の説明では、本明細書に開示される実施形態の完全な理解を実現するために、多数の具体的な詳細が記載されるが、一部の実施形態は、それらの詳細の一部又は全てがなくても実施され得る。さらに、分かりやすいように、関連技術で既知である特定の技術的な内容については、本開示を無用に曖昧にすることを避けるために、詳細には説明されていない。
【０００５】
本明細書に開示されるシステム及び方法は、ヘテロジニアスネットワークにおけるハンドオーバ中のシグナリングのオーバヘッドを低減する。第３世代パートナーシッププロジェクト（３ＧＰＰ）のロングタームエボリューション（ＬＴＥ）システムでは、デュアルコネクティビティが、ＵＥ（例えば携帯電話などのワイヤレスデバイス）が、非理想的バックホール（例えばＸ２インタフェース）によって互いに接続された少なくとも２つの異なるネットワークノード（例えばマスタノード及び２次ノード）によって提供される無線リソースを消費することを可能にしている。以下で詳細に述べられるように、移動しているＵＥが１つのマスタノードのカバレッジエリアから別のマスタノードのカバレッジエリアにハンドオーバされるとき、以前のシステムでは、ＵＥをデュアルコネクティビティに関わる各ノードから切断していた。本明細書に開示される特定の実施形態は、ＵＥと少なくとも１つの２次ノードとが互いに接続された状態のままで、一緒に第１のマスタノードから第２のマスタノードにハンドオーバされる、ジョイントハンドオーバプロセスを提供する。したがって、その少なくとも１つの２次ノードとの再確立手続きは回避される。
【０００６】
３ＧＰＰ無線アクセスネットワーク（ＲＡＮ）ＬＴＥシステムでは、ノードは、進化型ユニバーサル地上無線アクセスネットワーク（Ｅ−ＵＴＲＡＮ）ノードＢ（一般には、進化型ノードＢ、拡張ノードＢ、ｅＮｏｄｅＢ、又はｅＮＢとも記される）とユーザ機器（ＵＥ）と呼ばれるワイヤレスデバイスと通信する無線ネットワーク制御局（ＲＮＣ）との組合せとすることができる。ダウンリンク（ＤＬ）伝送は、ノード（例えばｅＮＢ）からワイヤレスデバイス（例えばＵＥ）への通信とすることができ、アップリンク（ＵＬ）伝送は、ワイヤレスデバイスからノードへの通信とすることができる。
【０００７】
ヘテロジニアスネットワークでは、マクロノードとも呼ばれるノードは、セル内のワイヤレスデバイスに基本ワイヤレスカバレッジを提供することができる。セルは、ワイヤレスデバイスがマクロノードと通信するように動作することができる領域とすることができる。ヘテロジニアスネットワークは、ワイヤレスデバイスの使用及び機能の増加によって増加したマクロノードにかかるトラフィック負荷を処理するために使用される可能性がある。ヘテロジニアスネットワークは、予定された高電力マクロノード（マクロｅＮＢ又はマクロセル）のレイヤと、それにオーバレイされた、マクロノードのカバレッジエリア（セル）内により低い予定度で配備される、又は全く調整されずに配備されることもある複数のより出力の低いノード（スモールセル、スモールｅＮＢ、マイクロｅＮＢ、ピコｅＮＢ、フェムトｅＮＢ、又はホームｅＮＢ（ＨｅＮＢ））のレイヤとを含むことができる。より出力の低いノード（ＬＰＮ）は、一般に、「低電力ノード（low  power  node）」、スモールノード、又はスモールセルと呼ばれることもある。
【０００８】
マクロノードは、基本カバレッジに使用され得る。低電力ノードは、マクロノードの地理学的カバレッジエリア（すなわちセル）内、及びマクロノードのカバレッジエリア同士の間の境界において、カバレッジの穴を埋めるために使用され得る。低電力ノードは、使用度の高い領域の容量を向上させるため、また建築構造物が信号の伝送を妨害する室内のカバレッジを改善するために使用されることもある。
【０００９】
本明細書で使用される「ノード（node）」及び「セル（cell）」という用語は、同義であり、ともにｅＮＢ、低電力ノード、又はその他の基地局などの複数のユーザ機器と通信するように動作することができるワイヤレス伝送点を指すものと意図されている。
【００１０】
デュアルコネクティビティとは、所与のＵＥが、非理想的バックホールによって接続された少なくとも２つの異なるノードによって提供される無線リソースを消費する動作を指す。例えば、図１は、１実施形態による、デュアルコネクティビティで動作している通信ネットワーク１００を示すブロック図である。ネットワーク１００は、第１の搬送周波数Ｆ１を使用してＵＥ１１４にユーザデータ１１２を通信するように構成されたマクロセル１１０と、第２の搬送周波数Ｆ２を使用してＵＥ１１４にユーザデータ１１８を通信するように構成されたスモールセル１１６とを含む。マクロセル１１０とスモールセル１１６とは、非理想的バックホールインタフェース１２０（例えばＸ２インタフェース）を介して互いに通信する。図１に示されるデュアルコネクティビティは、ノード間無線リソースアグリゲーション（又はサイト間キャリアアグリゲーション）を実現して、ユーザあたりのスループットを向上させる。デュアルコネクティビティにより、スモールセルを集約することで、追加のユーザプレーンキャパシティを提供し、スループットを向上させる一方で、モビリティ管理がマクロレイヤ上に維持されることが可能になる。ユーザデータ１１２、１１８を搬送する無線ベアラは、増大したカバレッジ、オフロード又はスループットが望ましいかどうかに応じて、マクロセル１１０のみのリソースを使用することもできるし、スモールセル１１６のリソースのみを使用することもできるし、或いはその両方を集約することもできる。モビリティアンカをマクロセル１１０内に維持することは、コアネットワークに向かうシグナリングオーバヘッドを低減する助けになることがある。
【００１１】
ＵＥ１１４のデュアルコネクティビティに関わるノード（例えばマクロセル１１０及びスモールセル１１６）は、異なる役割を担うことができるが、これらの役割は、必ずしもノードの出力クラスによって決まるわけではない。例えば、１つのノードが、マスタノードとして作用し、１つ以上の追加のノードが、２次ノード又はスレーブノードとして作用することができる。必ずというわけではないが、一般的には、マクロセル１１０は、マスタｅＮＢ（ＭｅＮＢ）の機能を実行することができ、スモールセル１１６は、２次ｅＮＢ（ＳｅＮＢ）の機能を実行することができる。ＭｅＮＢは、少なくともＳ１−ＭＭＥを終端する。Ｓ１−ＭＭＥは、コアネットワーク内のモビリティ管理エンティティ（ＭＭＥ）の制御プレーンプロトコルのインタフェースである。したがって、ＭｅＮＢは、コアネットワークに向かうＵＥ１１４のモビリティアンカとして作用する。ＭｅＮＢと関連付けられたサービングセルのグループは、本明細書ではマスタセルグループ（ＭＣＧ：master  cell  group）と呼ばれることもある。ＳｅＮＢは、追加の無線リソースをＵＥに提供する、ＭｅＮＢ以外のｅＮＢである。ＳｅＮＢと関連付けられたサービングセルのグループは、本明細書では２次セルグループ（ＳＣＧ：secondary  cell  group）と呼ばれることもある。
【００１２】
本明細書に開示される特定の実施形態は、ＳｅＮＢが専用スペクトルに配備されることが予想されるデュアルコネクティビティにおけるＵＥのハンドオーバ中のシグナリングのオーバヘッドを低減する。ハンドオーバは、スモールセル（スモールセル１１６など）がネットワーク内に配備されているときに、そのカバレッジエリアがマクロセルのカバレッジエリアと比較して小さいことにより、頻繁に発生する可能性がある。デュアルコネクティビティ配備では、ＵＥ１１４のハンドオーバは、周波数間又は周波数内ハンドオーバとして発生する可能性がある。ＭｅＮＢからＭｅＮＢへの（搬送周波数Ｆ１）ハンドオーバ及びＳｅＮＢからＳｅＮＢへの（搬送周波数Ｆ２）ハンドオーバは、周波数間ハンドオーバである。
【００１３】
図２は、１実施形態によるデュアルコネクティビティにおける例示的なハンドオーバのシナリオを例示する、通信ネットワーク２００を示すブロック図である。この通信ネットワークは、サービングＭｅＮＢ２１２及びＳｅＮＢ２１３を介してスプリットベアラによってサーブされるＵＥ２１０を含む。図２に示される矢印２２０は、ＵＥ２１０が進行している方向を示す。この例では、ＵＥ２１０は、ＳｅＮＢ２１３のカバレッジエリア２２２内に留まったまま、サービングＭｅＮＢ２１２のカバレッジエリア２１６からターゲットＭｅＮＢ２１４のカバレッジエリア２１８に移動している。ＳｅＮＢ２１３は、サービングＭｅＮＢ２１２とターゲットＭｅＮＢ２１４との間の相互接続を（例えばＸ２インタフェースを介して）提供する。ＵＥ２１０は、サービングＭｅＮＢ２１２から受信される信号の強度を定期的に測定する。ＵＥ２１０は、その測定値を、サービングＭｅＮＢ２１２に報告する。ＵＥ２１０がカバレッジエリア２１６の縁部に接近するにつれて、信号強度は低下し、サービングＭｅＮＢ２１２は、ＵＥ２１０をターゲットＭｅＮＢ２１４にハンドオーバすることを決定する。
【００１４】
一般に、デュアルコネクティビティにおけるハンドオーバは、ハンドオーバ中に通信される無線リソース制御（ＲＲＣ）のシグナリングメッセージなど、オーバヘッドメッセージの数が多いので、望ましくないこともある。さらに、ハンドオーバは、ＵＥ２１０がターゲットＭｅＮＢ２１４のカバレッジエリア２１８に進入するときの物理レイヤ再構成及びランダムアクセスとのアップリンク同期など、追加のオーバヘッドを含むこともある。したがって、有意な制御シグナリングのオーバヘッドが、ＲＡＮ（ＭｅＮＢ２１２、２１４、ＳｅＮＢ２１３、又はその他のノード）及びコアネットワークインフラストラクチャ（進化型パケットコア（ＥＰＣ）内のＭＭＥ又はサービングゲートウェイ（Ｓ−ＧＷ））の両方に課されることもある。本明細書に開示される実施形態による、デュアルコネクティビティを用いるヘテロジニアス（heterogeneous）ネットワークにおけるハンドオーバ及び／又はハンドオーバシグナリングの低減は、コアネットワーク及び／又はＲＡＮのオーバヘッドの有意な節約をもたらすことができる。
【００１５】
１実施形態では、サービングＭｅＮＢ２１２は、ジョイントハンドオーバ手続きを開始して、ＵＥ２１０及びＳｅＮＢ２１３を一緒に、ターゲットＭｅＮＢ２１４と関連付けられた新たなＭＣＧに移動させて、シグナリングのオーバヘッド及び待ち時間を低減する。シグナリングのオーバヘッドは、例えば、ＵＥ２１０を切断してＳｅＮＢ２１３に再接続する別個のプロセスを解消することによって、低減される。待ち時間は、例えば、別個のハンドオーバプロセス及びＳｅＮＢ変更プロセスの余分の遅延を解消することによって、低減される。
【００１６】
図３は、１実施形態によるジョイントＵＥハンドオーバ及びＳｅＮＢ変更のプロセス３００を例示するシーケンス図である。図３に示される例では、ジョイントＵＥハンドオーバ及びＳｅＮＢ変更のプロセス３００は、図２に示されるＵＥ２１０、ＳｅＮＢ２１３、サービングＭｅＮＢ２１２、及びターゲットＭｅＮＢ２１４を含む。例示されるプロセス３００が開始する以前は、ＵＥ２１０は、サービングＭｅＮＢ２１２及びＳｅＮＢ２１３を介してスプリットベアラによってサーブされる。プロセス３００は、コアネットワーク中のＭＭＥ３１０も含む。当業者なら、他のコアネットワーク要素が、特定の実施形態のジョイントＵＥハンドオーバ及びＳｅＮＢ変更のプロセス３００に含まれることもあることを認識するであろう。
【００１７】
ＵＥ２１０は、サービングＭｅＮＢ２１２とのＭｅＮＢ−ＵＥリンクの参照信号受信出力（ＲＳＲＰ：reference  signal  received  power）又は参照信号受信品質（ＲＳＲＱ：reference  signal  received  quality）を定期的に測定する。ＵＥ２１０は、ターゲットＭｅＮＢ２１４から受信される信号のＲＳＲＰ又はＲＳＲＱを定期的に測定することもできる。測定事象がトリガされると、不要なハンドオーバ（例えば「ピンポン」効果）を低減するように選択された時間間隔（例えばトリガまでの時間（ＴＴＴ：time  to  trigger）タイマによって設定される）の後で、ＵＥ２１０は、サービングＭｅＮＢ２１２のＲＲＣエンティティに測定報告信号３１２を送信する。これに応答して、サービングＭｅＮＢ２１２は、Ｘ２インタフェースを介して、「ＳＣＧを維持しながらハンドオーバを要求する(handover  request  while  keeping  SCG)」メッセージ３１４をターゲットＭｅＮＢ２１４に送信する。
【００１８】
ＳＣＧを維持しながらハンドオーバを要求するメッセージ３１４を受信した後で、ターゲットＭｅＮＢ２１４は、ＵＥ２１０のハンドオーバ、及びＳｅＮＢ２１３のそのＭＣＧへの追加の準備をし、ハンドオーバ（ＨＯ）応答メッセージ３１６をＸ２インタフェースを介してサービングＭｅＮＢ２１２に送信することによって、その要求を受容したことを肯定応答する。これに応答して、サービングＭｅＮＢ２１２は、修正ＲＲＣ接続再構成メッセージ３１８をＵＥ２１０に送信する。ＲＲＣ接続再構成メッセージ３１８は、ＵＥ２１０とＳｅＮＢ２１３との間の接続を解放しない、ＵＥ２１０のターゲットＭｅＮＢ２１４へのスプリットベアラハンドオーバの開始を示す。次いで、ＵＥ２１０は、ターゲットＭｅＮＢ２１４とのランダムアクセス手続きを開始する。ランダムアクセス手続き３２０は、ＵＥ２１０とターゲットＭｅＮＢ２１４との間の接続を確立する（例えば、ＵＥ２１０がターゲットＭｅＮＢ２１４にユーザデータを伝送することができるようにアップリンク無線リソースを割り当てる）。通信が確立されると、ＵＥ２１０は、ＲＲＣ接続再構成完了メッセージ３２２をターゲットＭｅＮＢ２１４に送信する。
【００１９】
ＳｅＮＢ２１３のＭＣＧを変更するために、サービングＭｅＮＢは、「ＳＣＧ維持／ＭＣＧ変更コマンド（SCG  keep  −  MCG  change  command）」メッセージ３２４を、Ｘ２インタフェースを介してＳｅｎＢ２１３に送信して、ターゲットＭｅＮＢ２１４がＵＥ２１０にとっての新たなＭｅＮＢになることを示す。これに応答して、ＳｅＮＢ２１３は、「ＳＣＧ維持／ＭＣＧ変更応答」メッセージ３２６をサービングＭｅＮＢ２１２及びターゲットＭｅＮＢ２１４に送信して、ＭｅＮＢの変更を肯定応答する。サービングＭｅＮＢ２１２は、シーケンス番号（ＳＮ）ステータス伝達及びデータ転送メッセージ３２８をターゲットＭｅＮＢ２１４に送信し、ターゲットＭｅＮＢ２１４とＭＭＥ３１０とが、経路切替え要求及び応答メッセージ３３０を交換する。ターゲットＭｅＮＢ２１４は、ＵＥコンテキスト解放メッセージ３３２をサービングＭｅＮＢに送信してプロセス３００を完了する。ターゲットＭｅＮＢ２１４は、ＵＥ２１０の新たなサービングＭｅＮＢとなり、ＳｅＮＢ２１３は、ＵＥ２１０を切断することなくＭＣＧを変更する。こうして、ＵＥ２１０は、ターゲットＭｅＮＢ２１４（現時点のサービングＭｅＮＢ）及びＳｅＮＢ２１３を介してスプリットベアラによってサーブされる。
【００２０】
図３に示されるメッセージのうちのいくつかは、例えば以下のように提供される。これらの例の一部は、３ＧＰＰ技術仕様書（ＴＳ）３６．３３１、Ｖ１２．０．０（２０１３−１２）（ＴＳ３６．３３１）、及び３ＧＰＰ  ＴＳ３６．４２３、Ｖ１２．０．０（２０１３−１２）（ＴＳ３６．４２３）などの３ＧＰＰプロトコル仕様にあるメッセージを修正したものである。
【００２１】
１実施形態では、図３に示されるＲＲＣ接続再構成メッセージ３１８は、以下の例示的な抽象構文記法１（ＡＳＮ．１）コードに示すように、ＴＳ３６．３３１のＲＲＣＣｏｎｎｅｃｔｉｏｎＲｅｃｏｎｆｉｇｕｒａｔｉｏｎメッセージを追加の「ＣｅｌｌＴｏＫｅｅｐｌｉｓｔ」フィールドで修正したものである。
【００２２】
ＲＲＣＣｏｎｎｅｃｔｉｏｎＲｅｃｏｎｆｉｇｕｒａｔｉｏｎメッセージ
【００２３】
【表１−１】
0006293915.tif 000002
【表１−２】
0006293915.tif 000003
【表１−３】
0006293915.tif 000004
【００２４】
上記の例示的なサンプルのＡＳＮ．１コードの「ＣｅｌｌＴｏＫｅｅｐｌｉｓｔ」フィールドは、ＳＣＧセルを維持し、ＭＣＧのセルのみを変更してデュアルコネクティビティでハンドオーバを行う場合に、任意選択で存在し、オンである必要がある。それ以外の場合には、「ＣｅｌｌＴｏＫｅｅｐｌｉｓｔ」は、ＲＲＣＣｏｎｎｅｃｔｉｏｎＲｅｃｏｎｆｉｇｕｒａｔｉｏｎメッセージに存在しない。
【００２５】
１実施形態では、図３に示されるＲＲＣ接続再構成完了メッセージ３２２は、以下の例示的なＡＳＮ．１コードに示すように、ＴＳ３６．３３１のＲＲＣＣｏｎｎｅｃｔｉｏｎＲｅｃｏｎｆｉｇｕｒａｔｉｏｎ完了メッセージを上述した追加の「ＣｅｌｌＴｏＫｅｅｐｌｉｓｔ」フィールドで修正したものである。
【００２６】
ＲＲＣＣｏｎｎｅｃｔｉｏｎＲｅｃｏｎｆｉｇｕｒａｔｉｏｎメッセージ
【００２７】
【表２】
0006293915.tif 000005
【００２８】
１実施形態では、図３に示されるＳＣＧを維持しながらハンドオーバを要求するメッセージ３１４は、以下の表１Ａ及び表１Ｂに記載される。ＴＳ３６．４３２のセクション９．０を参照されたい。
【００２９】
【表３−１】
0006293915.tif 000006
【表３−２】
0006293915.tif 000007
【００３０】
【表４】
0006293915.tif 000008
【００３１】
１実施形態では、図３に示されるＳＣＧ維持／ＭＣＧ変更コマンドメッセージ３２４は、以下の表２Ａ及び表２Ｂに記載される。ＴＳ３６．４３２のセクション９．０を参照されたい。
【００３２】
【表５】
0006293915.tif 000009
【００３３】
【表６】
0006293915.tif 000010
【００３４】
１実施形態では、図３に示されるＳＣＧ維持／ＭＣＧ変更応答メッセージ３２６は、以下の表３Ａ及び表３Ｂに記載される。ＴＳ３６．４３２のセクション９．０を参照されたい。
【００３５】
【表７】
0006293915.tif 000011
【００３６】
【表８】
0006293915.tif 000012
【００３７】
１実施形態では、ＴＳ３６．４３２のセクション９．２．１３のメッセージタイプ情報エレメント（ＩＥ）は、以下の表４に示すように、表２Ａに対応する「ＳＣＧを維持しながらのハンドオーバ要求」及び表３Ａに対応する「ＳＣＧ維持／ＭＣＧ変更」の意味論的記述を含むように修正される。
【００３８】
【表９】
0006293915.tif 000013
【００３９】
図４は、ＵＥ、移動局（ＭＳ）、モバイルワイヤレスデバイス、モバイル通信デバイス、タブレット、ハンドセット、又は別のタイプのワイヤレス通信デバイスなどのモバイルデバイスを示す例示的な図である。モバイルデバイスは、基地局（ＢＳ）、ｅＮＢ、ベースバンドユニット（ＢＢＵ）、リモートラジオヘッド（ＲＲＨ）、遠隔無線機器（ＲＲＥ）、中継局（ＲＳ）、無線機器（ＲＥ）、又は別のタイプのワイヤレス広域ネットワーク（ＷＷＡＮ）アクセスポイントなどの伝送局と通信するように構成された１つ以上のアンテナを含むことができる。モバイルデバイスは、３ＧＰＰ  ＬＴＥ、ＷｉＭａｘ（登録商標）、高速パケットアクセス（ＨＳＰＡ）、Ｂｌｕｅｔｏｏｔｈ（登録商標）、及びＷｉ−Ｆｉなど、少なくとも１つのワイヤレス通信標準を使用して通信するように構成され得る。モバイルデバイスは、各ワイヤレス通信標準ごとに別々のアンテナを使用して通信することもできるし、或いは複数のワイヤレス通信標準について共用アンテナを使用して通信することもできる。モバイルデバイスは、ワイヤレスローカルエリアネットワーク（ＷＬＡＮ）、ワイヤレスパーソナルエリアネットワーク（ＷＰＡＮ）、及び／又はＷＷＡＮで通信することができる。
【００４０】
図４は、モバイルデバイスのオーディオ入出力に使用され得るマイクロフォン及び１つ以上のスピーカを示す図である。ディスプレイスクリーンは、液晶ディスプレイ（ＬＣＤ）スクリーン、又は有機発光ダイオード（ＯＬＥＤ）ディスプレイなどその他のタイプのディスプレイスクリーンとすることができる。ディスプレイスクリーンは、タッチスクリーンとして構成され得る。タッチスクリーンは、容量性、抵抗性、又は別のタイプのタッチスクリーン技術を使用することができる。アプリケーションプロセッサ及びグラフィックプロセッサは、内部メモリに結合されて、処理機能及び表示機能を提供することができる。不揮発性メモリポートも、データ入出力のオプションをユーザに提供するために使用され得る。不揮発性メモリポートはまた、モバイルデバイスのメモリ容量を拡張するために使用することができる。キーボードは、モバイルデバイスと一体化される、又はモバイルデバイスにワイヤレス接続されて、追加のユーザ入力を提供することができる。仮想キーボードも、タッチスクリーンを使用して提供され得る。
【００４１】
追加の例示的な実施形態
以下は、さらに他の実施形態の例である。
【００４２】
例１は、ユーザ機器（ＵＥ）と通信するためのワイヤレストランシーバと、プロセッサとを含む、進化型ユニバーサル地上無線アクセスネットワーク（Ｅ−ＵＴＲＡＮ）ノードＢ（ｅＮＢ）である。プロセッサは、サービングマスタｅＮＢ（ＭｅＮＢ）として、サービングＭｅＮＢ及び２次ｅＮＢ（ＳｅＮＢ）とデュアルコネクティビティしているＵＥとの接続をワイヤレストランシーバを介して確立するように構成され、ＵＥをサービングＭｅＮＢからターゲットＭｅＮＢにハンドオーバすることを決定し、この決定に応答して、ＵＥ及びＳｅＮＢの両方をターゲットＭｅＮＢにハンドオーバするように構成される。
【００４３】
例２は、ワイヤレストランシーバが、少なくともＵＥによってｅＮＢから受信される信号の強度を示すＵＥからの測定報告を受信するように構成され、例１の発明特定事項を含む。プロセッサは、測定報告を処理して、ＵＥがサービングＭｅＮＢに対応する第１のセルカバレッジエリアからターゲットＭｅＮＢに対応する第２のセルカバレッジエリアに移動していると判定するようにさらに構成される。これに応答して、プロセッサは、ＵＥをサービングＭｅＮＢからターゲットＭｅＮＢにハンドオーバする決定を行う。
【００４４】
例３は、測定報告が、参照信号受信出力（ＲＳＲＰ）又は参照信号受信品質（ＲＳＲＱ）を含み、例１から２のいずれかの発明特定事項を含む。
【００４５】
例４は、ＵＥ及びＳｅＮＢの両方をターゲットＭｅＮＢにハンドオーバするために、プロセッサが、ターゲットＭｅＮＢにＳｅＮＢに対応する２次セルグループ（ＳＣＧ）を維持するように命令するハンドオーバ要求を、ターゲットＭｅＮＢに送信し、ＳＣＧ内で維持すべきセルのリストを示すフィールドを含む無線リソース制御（ＲＲＣ）接続再構成メッセージを、ワイヤレストランシーバを介してＵＥに送信するようにさらに構成され、例１から３のいずれかの発明特定事項を含む。
【００４６】
例５は、プロセッサが、ＳＣＧ内で維持すべきセルのリストとＳｅＮＢをＭｅＮＢに対応するマスタセルグループ（ＭＣＧ）に変更する命令とを含むコマンドを、ＳｅＮＢに送信するようにさらに構成され、例４の発明特定事項を含む。
【００４７】
例６は、プロセッサが、ＳｅＮＢから、コマンドに対する応答を受信し、ターゲットＭｅＮＢに、シーケンス番号ステータス伝達及びデータ転送メッセージを送信し、ターゲットＭｅＮＢから、ＵＥコンテキスト解放メッセージを受信するようにさらに構成され、例５の発明特定事項を含む。
【００４８】
例７は、サービングＭｅＮＢが、非理想的バックホールインタフェース（Ｘ２）を介してＳｅＮＢ及びＭｅＮＢと通信するように構成され、例１から６のいずれかの発明特定事項を含む。
【００４９】
例８。第１の進化型ユニバーサル地上無線アクセスネットワーク（Ｅ−ＵＴＲＡＮ）ノードＢ（ｅＮＢ）及び第２のｅＮＢからスプリットベアラを介してユーザデータを受信する、複数のワイヤレストランシーバを含む、ユーザ機器（ＵＥ）。このＵＥは、第１のｅＮＢとのリンクの参照信号受信出力（ＲＳＲＰ）又は参照信号受信品質（ＲＳＲＱ）を定期的に測定し、複数のワイヤレストランシーバのうちの第１のワイヤレストランシーバを介して、ＲＳＲＰ又はＲＳＲＱ測定報告を第１のｅＮＢに送信し、第１のｅＮＢから、ＵＥの第１のｅＮＢから第３のｅＮＢへのスプリットベアラハンドオーバの開始を示すメッセージを受信し、メッセージに応答して、ＵＥの第１のｅＮＢから第３のｅＮＢへのスプリットベアラハンドオーバ中に第２のｅＮＢに接続されたまま留まる回路も含む。
【００５０】
例９は、回路が、第１のｅＮＢとのリンクの測定したＲＳＲＰ又はＲＳＲＱに基づいて測定事象トリガを決定し、所定のトリガまでの時間（ＴＴＴ）タイマが満了するのを待機した後で、ＲＳＲＰ又はＲＳＲＱ測定報告を第１のｅＮＢに送信するようにさらに構成され、例８の発明特定事項を含む。
【００５１】
例１０は、スプリットベアラハンドオーバの開始を示すメッセージが、第２のｅＮＢに対応する２次セルグループ（ＳＣＧ）内で維持すべきセルのリストを示すフィールドを含む無線リソース制御（ＲＲＣ）接続再構成メッセージを含み、例８から９のいずれかの発明特定事項を含む。
【００５２】
例１１は、ＲＲＣ接続再構成メッセージを受信したのに応答して、回路が、複数のワイヤレストランシーバのうちの第２のワイヤレストランシーバを介して第３のｅＮＢと通信して、ランダムアクセス手続きを実行して、ＵＥと第３のｅＮＢとの間の接続を確立するように構成され、例８から１０のいずれかの発明特定事項を含む。
【００５３】
例１２は、ＵＥが、アンテナ、タッチセンシティブディスプレイスクリーン、スピーカ、マイクロフォン、グラフィックプロセッサ、アプリケーションプロセッサ、内部メモリ、不揮発性メモリポート、又はそれらの組合せのうちの少なくとも１つを含み、例８から１１のいずれかの発明特定事項を含む。
【００５４】
例１３は、ワイヤレス通信システムと通信するノードである。このノードは、１つ以上のプロセッサと、この１つ以上のプロセッサに、ノードをワイヤレス通信システムの２次セルグループ（ＳＣＧ）と関連付けることと、ユーザ機器（ＵＥ）との接続を確立することと、第１のマスタセルグループ（ＭＣＧ）内の第１のノードと協働して、ＵＥとのデュアルコネクティビティを提供することと、第１のノードから、ＵＥのデュアルコネクティビティを第１のＭＣＧ内の第１のノードから第２のＭＣＧ内の第２のノードに変更するコマンドを受信することと、コマンドに応答して、ＵＥとの接続を維持し、第１のノードとの協働から第２のノードとの協働に変更して、ＵＥとのデュアルコネクティビティを提供することとを行わせるプログラムコードを記憶したコンピュータ可読記憶媒体を含むコンピュータプログラム製品とを含む。
【００５５】
例１４は、第１のＭＣＧ内の第１のノードから受信されるコマンドが、ＳＣＧ内で維持すべきセルのリストを含み、例１３の発明特定事項を含む。
【００５６】
例１５は、第１のＭＣＧ内の第１のノードから受信されるコマンドに応答して、ノードが、ＳＣＧ内で維持すべきセルのリストを含むメッセージを、第１のＭＣＧ内の第１のノード及び第２のＭＣＧ内の第２のノードに送信するようにさらに構成され、例１３から１４のいずれかの発明特定事項を含む。
【００５７】
例１６は、ノードが、非理想的バックホールインタフェース（Ｘ２）を介して、第１のＭＣＧ内の第１のノード及び第２のＭＣＧ内の第２のノードのうちの少なくとも１つと通信するように構成され、例１３から１５のいずれかの発明特定事項を含む。
【００５８】
例１７は、２次ノードをユーザ機器（ＵＥ）に接続された状態に維持しながら、ＵＥを第１のマスタノードから第２のマスタノードにハンドオーバする要求を送信することと、ＵＥにメッセージを送信して、２次ノードとの接続を維持しながら、第１のマスタノードから切断し、第２のマスタノードに接続することと、ランダムアクセス手続きを実行して、ＵＥと第２のマスタノードとの間の接続を確立することと、ＵＥと第１のマスタノードとの間の接続を終了することとを含み、ハンドオーバ方法である。
【００５９】
例１８は、ＵＥと第２のマスタノードとの間の接続を確立した後で、２次ノードにコマンドを送信して、２次ノードとＵＥとの間の接続を維持しながら、第１のマスタノードに対応する第１のマスタセルグループから第２のマスタノードに対応する第２のマスタセルグループに変更することをさらに含み、例１７の発明特定事項を含む。
【００６０】
例１９は、ＵＥから、参照信号受信出力（ＲＳＲＰ）又は参照信号受信品質（ＲＳＲＱ）を含む測定報告を受信することと、この測定報告に応答して、ＵＥを第１のマスタノードから第２のマスタノードにハンドオーバする要求を送信することとをさらに含み、例１７から１８の発明特定事項を含む。
【００６１】
例２０は、ＵＥを第１のマスタノードから第２のマスタノードにハンドオーバする要求を送信することが、２次セルグループ内で維持すべきセルのリストを送信することを含み、例１７から２１のいずれかの発明特定事項を含む。
【００６２】
例２１は、ＵＥをハンドオーバする要求を送信することが、非理想的バックホールインタフェース（Ｘ２）を介して要求を送信することを含み、例１７から２２のいずれかの発明特定事項を含む。
【００６３】
例２２は、サービングマスタ拡張ノードＢ（ＭｅＮＢ）として、ユーザ機器（ＵＥ）との接続をワイヤレストランシーバを介して確立することを含む方法である。このＵＥは、サービングＭｅＮＢ及び２次ｅＮＢ（ＳｅＮＢ）とデュアルコネクティビティしている。この方法は、ＵＥをサービングＭｅＮＢからターゲットＭｅＮＢにハンドオーバすることを決定することと、この決定に応答して、ＵＥ及びＳｅＮＢの両方のターゲットＭｅＮＢへのハンドオーバを実行することとをさらに含む。
【００６４】
例２３は、例２２の発明特定事項を含み、少なくともＵＥによってｅＮＢから受信される信号の強度を示すＵＥからの測定報告を受信することと、測定報告を処理して、ＵＥがサービングＭｅＮＢに対応する第１のセルカバレッジエリアからターゲットＭｅＮＢに対応する第２のセルカバレッジエリアに移動していると判定することと、これに応答して、ＵＥをサービングＭｅＮＢからターゲットＭｅＮＢにハンドオーバすることを決定することとをさらに含む。
【００６５】
例２４は、測定報告が、参照信号受信出力（ＲＳＲＰ）又は参照信号受信品質（ＲＳＲＱ）を含み、例２２から２３のいずれかの発明特定事項を含む。
【００６６】
例２５は、ＵＥ及びＳｅＮＢの両方をターゲットＭｅＮＢにハンドオーバするために、方法が、ターゲットＭｅＮＢにＳｅＮＢに対応する２次セルグループ（ＳＣＧ）を維持するように命令するハンドオーバ要求を、ターゲットＭｅＮＢに送信することと、ＳＣＧ内で維持すべきセルのリストを示すフィールドを含む無線リソース制御（ＲＲＣ）接続再構成メッセージを、ワイヤレストランシーバを介してＵＥに送信することをさらに含み、例２２から２４のいずれかの発明特定事項を含む。
【００６７】
例２６は、例２５の発明特定事項を含み、ＳＣＧ内で維持すべきセルのリストとＳｅＮＢをＭｅＮＢに対応するマスタセルグループ（ＭＣＧ）に変更する命令とを含むコマンドを、ＳｅＮＢに送信することをさらに含む。
【００６８】
例２７は、例２６の発明特定事項を含み、ＳｅＮＢから、コマンドに対する応答を受信することと、ターゲットＭｅＮＢに、シーケンス番号ステータス伝達及びデータ転送メッセージを送信することと、ターゲットＭｅＮＢから、ＵＥコンテキスト解放メッセージを受信することとをさらに含む。
【００６９】
例２８は、第１の進化型ユニバーサル地上無線アクセスネットワーク（Ｅ−ＵＴＲＡＮ）ノードＢ（ｅＮＢ）及び第２のｅＮＢからスプリットベアラを介してユーザデータを受信することと、第１のｅＮＢとのリンクの参照信号受信出力（ＲＳＲＰ）又は参照信号受信品質（ＲＳＲＱ）を定期的に測定することと、第１のワイヤレストランシーバを介して、ＲＳＲＰ又はＲＳＲＱ測定報告を第１のｅＮＢに送信することと、第１のｅＮＢから、ＵＥの第１のｅＮＢから第３のｅＮＢへのスプリットベアラハンドオーバの開始を示すメッセージを受信することと、このメッセージに応答して、ＵＥの第１のｅＮＢから第３のｅＮＢへのスプリットベアラハンドオーバ中に第２のｅＮＢに接続されたまま留まることとを含む、方法である。
【００７０】
例２９は、例２８の発明特定事項を含み、第１のｅＮＢとのリンクの測定したＲＳＲＰ又はＲＳＲＱに基づいて測定事象トリガを決定することと、所定のトリガまでの時間（ＴＴＴ）タイマが満了するのを待機した後で、ＲＳＲＰ又はＲＳＲＱ測定報告を第１のｅＮＢに送信することとをさらに含む。
【００７１】
例３０は、スプリットベアラハンドオーバの開始を示すメッセージが、第２のｅＮＢに対応する２次セルグループ（ＳＣＧ）内で維持すべきセルのリストを示すフィールドを含む無線リソース制御（ＲＲＣ）接続再構成メッセージを含み、例２８から２９のいずれかの発明特定事項を含む。
【００７２】
例３１は、ＲＲＣ接続再構成メッセージを受信したのに応答して、方法が、第２のワイヤレストランシーバを介して第３のｅＮＢと通信して、ランダムアクセス手続きを実行して、ＵＥと第３のｅＮＢとの間の接続を確立することをさらに含み、例３０の発明特定事項を含む。
【００７３】
例３２は、ノードをワイヤレス通信システムの２次セルグループ（ＳＣＧ）と関連付けることと、ユーザ機器（ＵＥ）との接続を確立することと、第１のマスタセルグループ（ＭＣＧ）内の第１のノードと協働して、ＵＥとのデュアルコネクティビティを提供することと、第１のノードから、ＵＥのデュアルコネクティビティを第１のＭＣＧ内の第１のノードから第２のＭＣＧ内の第２のノードに変更するコマンドを受信することと、このコマンドに応答して、ＵＥとの接続を維持し、第１のノードとの協働から第２のノードとの協働に変更して、ＵＥとのデュアルコネクティビティを提供することとを含む、方法である。
【００７４】
例３３は、第１のＭＣＧ内の第１のノードから受信されたコマンドが、ＳＣＧ内で維持すべきセルのリストを含み、例３２の発明特定事項を含む。
【００７５】
例３４は、第１のＭＣＧ内の第１のノードからコマンドを受信したのに応答して、ＳＣＧ内で維持すべきセルのリストを含むメッセージを、第１のＭＣＧ内の第１のノード及び第２のＭＣＧ内の第２のノードに送信することをさらに含み、例３２から３３のいずれかの発明特定事項を含む。
【００７６】
例３５は、例１７から３４のいずれかの方法を実行する手段を含む装置である。
【００７７】
例３６は、例１７から３４のいずれかの方法を実施するマシン可読命令を含む、マシン可読記憶装置である。
【００７８】
本明細書に開示される様々な技術、或いはそれらの特定の特徴又は部分は、フロッピーディスケット、ＣＤ−ＲＯＭ、ハードドライブ、非一時的コンピュータ可読記憶媒体、又はその他の任意のマシン可読記憶媒体などの有形媒体に実施されたプログラムコード（すなわち命令）の形態をとることができ、ここで、プログラムコードがコンピュータなどのマシンにロードされ、そのマシンによって実行されたときに、そのマシンは、上記の様々な技術を実施する装置となる。プログラマブルコンピュータ上でプログラムコードが実行される場合には、コンピューティングデバイスは、プロセッサと、プロセッサによって読取り可能な記憶媒体（揮発性及び不揮発性のメモリ及び／又は記憶要素を含む）と、少なくとも１つの入力デバイスと、少なくとも１つの出力デバイスとを含むことができる。揮発性及び不揮発性のメモリ及び／又は記憶要素は、ＲＡＭ、ＥＰＲＯＭ、フラッシュドライブ、光学ドライブ、磁気ハードドライブ、又はその他の電子データを記憶する媒体とすることができる。ｅＮＢ（又はその他の基地局）及びＵＥ（又はその他の移動局）は、トランシーバ構成要素、カウンタ構成要素、処理構成要素、及び／或いはクロック構成要素又はタイマ構成要素も含むことができる。本明細書に記載される様々な技術を実施又は利用することができる１つ以上のプログラムは、アプリケーションプログラミングインタフェース（ＡＰＩ）、再利用可能な制御装置などを使用することができる。このようなプログラムは、ハイレベルな手続き型又はオブジェクト指向のプログラミング言語で実施されて、コンピュータシステムと通信することができる。ただし、これらの１つ以上のプログラムは、望ましい場合には、アセンブリ言語又はマシン言語でも実施され得る。いずれの場合も、言語は、コンパイル済み又は解釈済みの言語とすることができ、ハードウェアの実施態様と結合され得る。
【００７９】
本明細書に記載される機能ユニットの多くは、１つ以上のモジュール又は構成要素として実施され得、こうしたモジュール又は構成要素というのは、それらの実施態様の独立性をより具体的に強調するために使用される用語であることを理解されたい。例えば、モジュール又は構成要素は、カスタム超大規模集積（ＶＬＳＩ）回路又はゲートアレイ、論理チップやトランジスタなどの市販の半導体、或いはその他の離散構成要素を含むハードウェア回路として実施され得る。モジュール又は構成要素は、フィールドプログラマブルゲートアレイ、プログラマブルアレイ論理、プログラマブル論理デバイスなど、プログラマブルハードウェアデバイスとしても実施され得る。
【００８０】
モジュール又は構成要素は、様々なタイプのプロセッサによって実行されるソフトウェアとしても実施され得る。特定されている実行可能なコードの構成要素は、例えば、オブジェクト、手続き又は関数として編成され得るコンピュータ命令の１つ以上の物理的又は論理的ブロックを含むことができる。しかしながら、特定されているモジュール又は構成要素の実行可能部分は、物理的に一緒に位置している必要はなく、論理的に結合されたときにそのモジュール又は構成要素を構成してそのモジュール又は構成要素の表明された目的を達成する異なる位置に記憶された異なる命令を含むこともできる。
【００８１】
実際に、実行可能コードのモジュール又は構成要素は、単一の命令であっても多数の命令であってもよく、いくつかの異なるコードセグメントにわたって、異なるプログラム間で、またいくつかのメモリデバイスにわたって、分散していてもよい。同様に、動作データは、本明細書ではモジュール又は構成要素内で特定されて図示されていることもあるが、任意の適当な形態で実施され得、また任意の適当なタイプのデータ構造内に編成され得る。動作データは、単一のデータセットとして収集されることもあるし、或いは異なる記憶デバイスにわたる場合など、異なる位置にわたって分散していることもあり、少なくとも部分的には、単にシステム又はネットワーク上の電子信号として存在することもある。モジュール又は構成要素は、所望の機能を実行するように動作可能なエージェントなど、受動的であっても能動的であってもよい。
【００８２】
本明細書を通じて「例」に言及している場合、これは、その例に関連して述べられる特定の機能、構造、又は特徴が、本発明の少なくとも１つの実施形態に含まれるということを意味している。したがって、本明細書中の様々な箇所に見られる「例では」という表現は、必ずしもそれら全てが同じ実施形態を指しているわけではない。
【００８３】
本明細書で使用する複数の品目、構造要素、構成要素、及び／又は材料は、便宜上共通のリストに示されることがある。ただし、これらのリストは、リストに含まれる個々の要素が、それぞれ別個の一意的な要素として特定されるように解釈すべきではない。したがって、こうしたリストの個々の要素は、特に指定がない限り、それらが共通のグループ内に示されているということのみに基づいて、同じリストの任意の他の要素の事実上の均等物であるものと解釈されるべきではない。さらに、本明細書では、本発明の様々な実施形態及び例について、それらの様々な構成要素の代替物と共に言及することもある。これらの実施形態、例、及び代替物は、互いの事実上の均等物として解釈されるべきではなく、別個に、かつ独立して本発明を表現しているものとみなされるべきものである。
【００８４】
以上、分かりやすいようにある程度詳細に説明したが、その原理を逸脱することなく、特定の変更及び修正が加えられ得ることは明らかであろう。本明細書に記載されるプロセスを実施する方法及び装置を実施する方法の両方について、多数の代替の方法があることに留意されたい。したがって、これらの実施形態は、限定的なものではなく例示的なものとみなされるべきものであり、本発明は、本明細書に与えられる詳細に限定されず、添付の特許請求の範囲及びその均等物の範囲内で修正され得る。
【００８５】
上述の実施形態の細部には、本発明の基本原理を逸脱することなく多数の変更が加えられ得ることは、当業者には理解されるであろう。したがって、本発明の範囲は、下記の特許請求の範囲によってのみ決定されるものとする。
【図１】
0006293915.tif 000014
【図２】
0006293915.tif 000015
【図３】
0006293915.tif 000016
【図４】
0006293915.tif 000017